【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
交通機関の路線ごとの各駅における移動手段の進行方向ごとの到着時刻または出発時刻の一方または両方を含む時刻表を記憶した時刻表データベースを備えた時刻表提供サーバと端末装置からなる時刻表更新報知システムであって、
前記端末装置は、少なくとも所望の路線および駅と報知日時に関連する情報とを含む時刻表更新のための報知条件、及び報知先情報を前記時刻表提供サーバに送信し、
前記時刻表提供サーバは、前記端末装置から送信される報知条件と報知先情報とを記憶する管理情報データベースと、現在日時を取得する現在日時取得手段と、前記管理情報データベースを参照して、前記現在日時取得手段が取得した現在日時に基づいて、時刻表更新の報知日時を判別する更新報知日時判別手段と、前記報知条件に応じた時刻表に更新があるか否かを判別する時刻表更新判別手段と、を備え、
前記時刻表更新判別手段が報知条件に応じた時刻表に更新があると判別した場合、前記報知先に当該時刻表の更新を報知することを特徴とする時刻表更新報知システム。
【請求項２】
前記報知条件には、前記路線の前記駅における移動手段の進行方向を示す情報を含み、進行方向を示す情報が含まれる場合には、前記時刻表更新判別手段は、前記進行方向を含む報知条件に応じた時刻表に更新があるか否かを判別することを特徴とする請求項１に記載の時刻表更新報知システム。
【請求項３】
前記報知条件には、利用曜日、利用時刻または利用時間帯の情報を含み、利用曜日、利用時刻または利用時間帯の情報が含まれる場合には、前記時刻表更新判別手段は、前記利用曜日、利用時刻または利用時間帯を含む報知条件に応じた時刻表に更新があるか否かを判別することを特徴とする請求項１に記載の時刻表更新報知システム。
【請求項４】
前記報知条件には、移動手段の種別を示す情報を含み、移動手段の種別を示す情報が含まれる場合には、前記時刻表更新判別手段は、前記移動手段の種別を含む報知条件に応じた時刻表に更新があるか否かを判別することを特徴とする請求項１に記載の時刻表更新報知システム。
【請求項５】
前記報知日時に関連する情報は、曜日を用いて設定された情報であることを特徴とする請求項１に記載の時刻表更新報知システム。
【請求項６】
前記報知日時に関連する情報は、前記報知条件に応じた時刻表の更新日より所定日数以前の日時を指定して設定された情報であることを特徴とする請求項１に記載の時刻表更新報知システム。
【請求項７】
ネットワークを介して端末装置と接続され、交通機関の路線ごとの各駅における移動手段の進行方向ごとの到着時刻または出発時刻の一方または両方を含む時刻表を記憶した時刻表データベースを備えた時刻表提供サーバであって、
前記端末装置は、少なくとも所望の路線および駅と報知日時に関連する情報とを含む時刻表更新のための報知条件、及び報知先情報を前記時刻表提供サーバに送信し、
前記時刻表提供サーバは、前記端末装置から送信される報知条件と報知先情報とを利用者ごとに記憶する管理情報データベースと、現在日時を取得する現在日時取得手段と、前記管理情報データベースを参照して、現在日時取得手段が取得した現在日時に基づいて、時刻表更新の報知日時を判別する更新報知日時判別手段と、前記報知条件に応じた時刻表に更新があるか否かを判別する時刻表更新判別手段と、を備え、
前記時刻表更新判別手段が報知条件に応じた時刻表に更新があると判別した場合、前記報知先に当該時刻表の更新を報知することを特徴とする時刻表提供サーバ。
【請求項８】
前記報知条件には、前記路線の前記駅における移動手段の進行方向を示す情報を含み、進行方向を示す情報が含まれる場合には、前記時刻表更新判別手段は、前記進行方向を含む報知条件に応じた時刻表に更新があるか否かを判別することを特徴とする請求項７に記載の時刻表提供サーバ。
【請求項９】
前記報知条件には、利用曜日、利用時刻または利用時間帯の情報を含み、利用曜日、利用時刻または利用時間帯の情報が含まれる場合には、前記時刻表更新判別手段は、前記利用曜日、利用時刻または利用時間帯を含む報知条件に応じた時刻表に更新があるか否かを判別することを特徴とする請求項７に記載の時刻表提供サーバ。
【請求項１０】
前記報知条件には、移動手段の種別を示す情報を含み、移動手段の種別を示す情報が含まれる場合には、前記時刻表更新判別手段は、前記移動手段の種別を含む報知条件に応じた時刻表に更新があるか否かを判別することを特徴とする請求項７に記載の時刻表提供サーバ。
【請求項１１】
前記報知日時に関連する情報は、曜日を用いて設定された情報であることを特徴とする請求項７に記載の時刻表提供サーバ。
【請求項１２】
前記報知日時に関連する情報は、前記報知条件に応じた時刻表の更新日より所定日数以前の日時を指定して設定された情報であることを特徴とする請求項７に記載の時刻表提供サーバ。
【請求項１３】
交通機関の路線ごとの各駅における移動手段の進行方向ごとの到着時刻または出発時刻の一方または両方を含む時刻表を記憶した時刻表データベースを備えた時刻表提供サーバにネットワークを介して接続される端末装置であって、
前記時刻表提供サーバは、端末装置から送信される報知条件と報知先情報とを利用者ごとに記憶する管理情報データベースと、現在日時を取得する現在日時取得手段と、前記管理情報データベースを参照して、現在日時取得手段が取得した現在日時に基づいて、時刻表更新の報知日時を判別する更新報知日時判別手段と、前記報知条件に応じた時刻表に更新があるか否かを判別する時刻表更新判別手段と、を備え、前記時刻表更新判別手段が報知条件に応じた時刻表に更新があると判別した場合、前記報知先に当該時刻表の更新を報知し、
前記端末装置は、少なくとも所望の路線および駅と報知日時に関連する情報を含む時刻表更新のための報知条件と報知先情報とを前記時刻表提供サーバに送信するための操作入力手段、表示手段と、を備え、
前記端末装置は、前記操作入力手段により、少なくとも所望の路線および駅と報知日時に関連する情報とを含む時刻表更新のための報知条件、及び報知先情報を設定して前記時刻表提供サーバに送信し、前記時刻表提供サーバから受信した時刻表更新情報を前記表示手段に表示することを特徴とする端末装置。
【請求項１４】
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照し、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置を有する時刻表更新報知システムであって、
前記時刻表提供サーバは、路線毎、駅毎、進行方向毎の駅時刻表、路線毎、電車毎、進行方向毎の運行時刻表を蓄積した時刻表データベースを有することを特徴とする時刻表更新報知システム。
【請求項１５】
交通機関の路線ごとの各駅における移動手段の進行方向ごとの到着時刻または出発時刻の一方または両方を含む時刻表を記憶した時刻表データベースを備えた時刻表提供サーバから端末装置へ時刻表の更新を報知する時刻表更新報知方法であって、
前記端末装置は、
少なくとも所望の路線および駅と報知日時に関連する情報とを含む時刻表更新のための報知条件、及び報知先情報を前記時刻表提供サーバへ送信するステップを有し、
前記時刻表提供サーバは、
端末装置から送信される報知条件と報知先情報とを記憶する管理情報データベースを参照し、現在日時に基づいて、時刻表更新の報知日時を判別するステップと、
前記報知条件に応じた時刻表に更新があるか否かを判別するステップと、
時刻表に更新があると判別した場合、前記報知先に当該時刻表の更新を報知するステップとを有することを特徴とする時刻表更新報知方法。
【請求項１６】
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照して、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置を有する時刻表更新報知システムにおける時刻表提供サーバを構成するコンピュータのプログラムであって、
前記端末装置から送信される報知条件と報知先情報とを記憶する管理情報データベースを参照し、現在日時に基づいて、時刻表更新の報知日時を判別する更新報知日時判別手段、
前記報知条件に応じた時刻表に更新があるか否かを判別する時刻表更新判別手段、として前記コンピュータを機能させ、
時刻表更新判別手段が時刻表に更新があると判別した場合、前記報知先に当該時刻表の更新を報知することを特徴とするプログラム。
【請求項１７】
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照して、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置と、を有する時刻表更新報知システムにおける端末装置を構成するコンピュータのプログラムであって、
少なくとも所望の路線および駅と報知日時に関連する情報とを含む時刻表更新のための報知条件、及び報知先情報を前記時刻表提供サーバへ送信する機能を実行させることを特徴とするプログラム。
【手続補正２】
【補正対象書類名】明細書
【補正対象項目名】発明の名称
【補正方法】変更
【補正の内容】
【発明の名称】時刻表更新報知システム、時刻表提供サーバ、端末装置および時刻表更新報知方法ならびにプログラム
【手続補正３】
【補正対象書類名】明細書
【補正対象項目名】００１６
【補正方法】変更
【補正の内容】
【００１６】
前記課題を解決するために、本願の請求項１にかかる発明は、
交通機関の路線ごとの各駅における移動手段の進行方向ごとの到着時刻または出発時刻の一方または両方を含む時刻表を記憶した時刻表データベースを備えた時刻表提供サーバと端末装置からなる時刻表更新報知システムであって、
前記端末装置は、少なくとも所望の路線および駅と報知日時に関連する情報とを含む時刻表更新のための報知条件、及び報知先情報を前記時刻表提供サーバに送信し、
前記時刻表提供サーバは、前記端末装置から送信される報知条件と報知先情報とを記憶する管理情報データベースと、現在日時を取得する現在日時取得手段と、前記管理情報データベースを参照して、前記現在日時取得手段が取得した現在日時に基づいて、前記利用者ごとに、時刻表更新の報知日時を判別する更新報知日時判別手段と、前記報知条件に応じた時刻表に更新があるか否かを判別する時刻表更新判別手段と、を備え、
前記時刻表更新判別手段が報知条件に応じた時刻表に更新があると判別した場合、前記報知先に当該時刻表の更新を報知することを特徴とする時刻表更新報知システム。
【手続補正４】
【補正対象書類名】明細書
【補正対象項目名】００１８
【補正方法】変更
【補正の内容】
【００１８】
また、本願の請求項３にかかる発明は、請求項１にかかる時刻表更新報知システムにおいて、前記報知条件には、利用曜日、利用時刻または利用時間帯の情報を含み、利用曜日、利用時刻または利用時間帯の情報が含まれる場合には、前記時刻表更新判別手段は、前記利用曜日、利用時刻または利用時間帯を含む報知条件に応じた時刻表に更新があるか否かを判別することを特徴とする。
【手続補正５】
【補正対象書類名】明細書
【補正対象項目名】００２２
【補正方法】変更
【補正の内容】
【００２２】
また、本願の請求項７にかかる発明は、
ネットワークを介して端末装置と接続され、交通機関の路線ごとの各駅における移動手段の進行方向ごとの到着時刻または出発時刻の一方または両方を含む時刻表を記憶した時刻表データベースを備えた時刻表提供サーバであって、
前記端末装置は、少なくとも所望の路線および駅と報知日時に関連する情報とを含む時刻表更新のための報知条件、及び報知先情報を前記時刻表提供サーバに送信し、
前記時刻表提供サーバは、前記端末装置から送信される報知条件と報知先情報とを利用者ごとに記憶する管理情報データベースと、現在日時を取得する現在日時取得手段と、利用者管理情報データベースを参照して、現在日時取得手段が取得した現在日時に基づいて、前記利用者ごとに、時刻表更新の報知日時を判別する更新報知日時判別手段と、前記報知条件に応じた時刻表に更新があるか否かを判別する時刻表更新判別手段と、を備え、
前記時刻表更新判別手段が報知条件に応じた時刻表に更新があると判別した場合、前記報知先に当該時刻表の更新を報知することを特徴とする。
【手続補正６】
【補正対象書類名】明細書
【補正対象項目名】００２４
【補正方法】変更
【補正の内容】
【００２４】
また、本願の請求項９にかかる発明は、請求項７にかかる時刻表提供サーバにおいて、前記報知条件には、利用曜日、利用時刻または利用時間帯の情報を含み、利用曜日、利用時刻または利用時間帯の情報が含まれる場合には、前記時刻表更新判別手段は、前記利用曜日、利用時刻または利用時間帯を含む報知条件に応じた時刻表に更新があるか否かを判別することを特徴とする。
【手続補正７】
【補正対象書類名】明細書
【補正対象項目名】００２８
【補正方法】変更
【補正の内容】
【００２８】
また、本願の請求項１３にかかる発明は、
交通機関の路線ごとの各駅における移動手段の進行方向ごとの到着時刻または出発時刻の一方または両方を含む時刻表を記憶した時刻表データベースを備えた時刻表提供サーバにネットワークを介して接続される端末装置であって、
前記時刻表提供サーバは、端末装置から送信される報知条件と報知先情報とを利用者ごとに記憶する管理情報データベースと、現在日時を取得する現在日時取得手段と、前記管理情報データベースを参照して、現在日時取得手段が取得した現在日時に基づいて、前記利用者ごとに、時刻表更新の報知日時を判別する更新報知日時判別手段と、前記報知条件に応じた時刻表に更新があるか否かを判別する時刻表更新判別手段と、を備え、前記時刻表更新判別手段が報知条件に応じた時刻表に更新があると判別した場合、前記報知先に当該時刻表の更新を報知し、
前記端末装置は、少なくとも所望の路線および駅と報知日時に関連する情報を含む時刻表更新のための報知条件と報知先情報とを前記時刻表提供サーバに送信するための操作入力手段、表示手段と、を備え、
前記端末装置は、前記操作入力手段により、少なくとも所望の路線および駅と報知日時に関連する情報とを含む時刻表更新のための報知条件、及び報知先情報とを設定して前記時刻表提供サーバに送信し、前記時刻表提供サーバから受信した時刻表更新情報を前記表示手段に表示することを特徴とする。
【手続補正８】
【補正対象書類名】明細書
【補正対象項目名】００２９
【補正方法】変更
【補正の内容】
【００２９】
また、本願の請求項１４にかかる発明は、
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照し、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置を有する時刻表更新報知システムであって、
前記時刻表提供サーバは、路線毎、駅毎、進行方向毎の駅時刻表、路線毎、電車毎、進行方向毎の運行時刻表を蓄積した時刻表データベースを有することを特徴とする。
【手続補正９】
【補正対象書類名】明細書
【補正対象項目名】００３０
【補正方法】変更
【補正の内容】
【００３０】
また、本願の請求項１５にかかる発明は、
交通機関の路線ごとの各駅における移動手段の進行方向ごとの到着時刻または出発時刻の一方または両方を含む時刻表を記憶した時刻表データベースを備えた時刻表提供サーバから端末装置へ時刻表の更新を報知する時刻表更新報知方法であって、
前記端末装置は、
少なくとも所望の路線および駅と報知日時に関連する情報とを含む時刻表更新のための報知条件、及び報知先情報を前記時刻表提供サーバへ送信するステップを有し、
前記時刻表提供サーバは、
端末装置から送信される報知条件と報知先情報とを記憶する管理情報データベースを参照し、現在日時に基づいて、時刻表更新の報知日時を判別するステップと、
前記報知条件に応じた時刻表に更新があるか否かを判別するステップと、
時刻表に更新があると判別した場合、前記報知先に当該時刻表の更新を報知するステップとを有することを特徴とする。
【手続補正１０】
【補正対象書類名】明細書
【補正対象項目名】００３１
【補正方法】変更
【補正の内容】
【００３１】
また、本願の請求項１６にかかる発明は、
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照して、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置を有する時刻表更新報知システムにおける時刻表提供サーバを構成するコンピュータのプログラムであって、
前記端末装置から送信される報知条件と報知先情報とを記憶する管理情報データベースを参照し、現在日時に基づいて、時刻表更新の報知日時を判別する更新報知日時判別手段、
前記報知条件に応じた時刻表に更新があるか否かを判別する時刻表更新判別手段、として前記コンピュータを機能させ、
時刻表更新判別手段が時刻表に更新があると判別した場合、前記報知先に当該時刻表の更新を報知することを特徴とするプログラムである。
【手続補正１１】
【補正対象書類名】明細書
【補正対象項目名】００３２
【補正方法】変更
【補正の内容】
【００３２】
また、本願の請求項１７にかかる発明は、
交通機関の路線ごとの各駅における移動手段の進行方向ごとの到着時刻または出発時刻の一方または両方を含む時刻表を記憶した時刻表データベースを備え、端末装置から送信される報知条件と報知先情報とを記憶する管理情報データベースを参照して、現在日時取得手段が取得した現在日時に基づいて、時刻表更新の報知日時を判別し、前記報知条件に応じた時刻表に更新があるか否かを判別する時刻表提供サーバと、少なくとも所望の路線および駅と報知日時に関連する情報とを含む時刻表更新のための報知条件、及び報知先情報を前記時刻表提供サーバに送信する端末装置と、を有する時刻表更新報知システムにおける端末装置を構成するコンピュータのプログラムであって、
少なくとも所望の路線および駅と報知日時に関連する情報とを含む時刻表更新のための報知条件、及び報知先情報を前記時刻表提供サーバへ送信する機能を実行させることを特徴とするプログラムである。
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】変更
【補正の内容】
【００３４】
請求項１にかかる発明においては、交通機関の路線ごとの各駅における移動手段の進行方向ごとの到着時刻または出発時刻の一方または両方を含む時刻表を記憶した時刻表データベースを備えた時刻表提供サーバと端末装置からなる時刻表更新報知システムであって、
前記端末装置は、少なくとも所望の路線および駅と報知日時に関連する情報とを含む時刻表更新のための報知条件、及び報知先情報とを前記時刻表提供サーバに送信し、
前記時刻表提供サーバは、前記端末装置から送信される報知条件と報知先情報とを利用者ごとに記憶する管理情報データベースと、現在日時を取得する現在日時取得手段と、前記管理情報データベースを参照して、現在日時取得手段が取得した現在日時に基づいて、前記利用者ごとに、時刻表更新の報知日時を判別する更新報知日時判別手段と、前記報知条件に応じた時刻表に更新があるか否かを判別する時刻表更新判別手段と、を備え、
前記時刻表更新判別手段が報知条件に応じた時刻表に更新があると判別した場合、前記報知先に当該時刻表の更新を報知する。
【手続補正１４】
【補正対象書類名】明細書
【補正対象項目名】００３８
【補正方法】変更
【補正の内容】
【００３８】
請求項３にかかる発明においては、請求項１にかかる時刻表更新報知システムにおいて、報知条件には、利用曜日、利用時刻または利用時間帯の情報を含み、利用曜日、利用時刻または利用時間帯の情報が含まれる場合には、前記時刻表更新判別手段は、前記利用曜日、利用時刻または利用時間帯を含む報知条件に応じた時刻表に更新があるか否かを判別する。
【手続補正１５】
【補正対象書類名】明細書
【補正対象項目名】００４６
【補正方法】変更
【補正の内容】
【００４６】
また、本願の請求項７ないし請求項１２にかかる発明においては、それぞれ請求項１ないし請求項６にかかる時刻表更新報知システムを構成する時刻表提供サーバを提供することができ、本願の請求項１３にかかる発明においては、請求項１にかかる時刻表更新報知システムを構成する端末装置を提供することができるようになる。また、請求項１４の発明においては、請求項１にかかる時刻表提供サーバを提供することができ、情報配信請求項１５の発明においては、請求項１にかかる時刻表更新報知システムにおける時刻表更新報知方法を提供することができ、請求項１６、１７の発明においては、それぞれ、請求項９の時刻表提供サーバ、請求項１３の端末装置を構成するコンピュータのプログラムを提供することができるようになる。